(57)【要約】【課題】袋内の内容物の量が少なくなっても、袋を安定的に自立させる。【解決手段】柔軟な袋部１０の第１主シート部１１に保形シート３０を被せる。保形シート３０は、袋部１０より硬質で、かつ保形性を有しており、湾曲部３１と、一対の被接合部３２とを備えている。湾曲部３０は、幅方向の中央部に向かうにしたがって表側（第２主シート１２とは反対側）へ突出するように湾曲されている。湾曲部の幅方向の両端にそれぞれ被接合部３２が連なっている。この被接合部３２が、袋部１０の幅方向の端部１５と接合されている。湾曲部３１の下端部は、袋部１０の下端部と袋部１０の上下方向のほぼ同じ高さに配置されている。【選択図】図１
2014218261.tif 000002
【特許請求の範囲】
【請求項１】
流動性の内容物を吐出可能に貯める袋であって、
互いに対向するとともに周縁部どうしが閉じられた第１、第２の主シート部を有する柔軟な袋部と、
前記袋部より硬質でかつ保形性を有して、前記第１主シート部に被さる保形シートと、を備え、
前記保形シートが、幅方向の中央部に向かうにしたがって前記第２主シートとは反対側へ突出するように湾曲された湾曲部と、前記湾曲部の幅方向の両端に連なるとともに前記袋部の幅方向の端部と接合された一対の被接合部とを有し、前記湾曲部の下端部が、前記袋部の下端部と前記袋部の上下方向のほぼ同じ高さに配置されていることを特徴とする袋。
【請求項２】
前記保形シートの上端部が、前記袋部における上端部と前記袋部の上下方向のちょうど中間部との間の高さに配置されていることを特徴とする請求項１に記載の袋。
【請求項３】
前記袋部の上下方向の所定位置における前記保形シート及び前記袋部の少なくとも一方の幅方向の端部には、指を受け入れ可能な凹部が形成されていることを特徴とする請求項１又は２に記載の袋。
【発明の詳細な説明】
【技術分野】
【０００１】
本発明は、液体等の流動性の内容物を貯める袋であって、特に自立させて棚、台、机等の上に載置するのに好適な袋に関する。
【背景技術】
【０００２】
一般に、この種の袋は、一対の長方形の主シート部を備えている。これら主シート部が互いに重ねられ、周縁どうしが溶着にて封止されている。なお、主シート部の周縁のうち下縁どうしは、底シート部を介して封止されている。袋の上端部にはスパウトが設けられている。袋に飲料液等の流動性の内容物を収容すると、内容物が重力の作用で袋内の下側部に偏ることで、袋の下側部が膨らむ。これによって、袋を安定的に自立させることができる。
【先行技術文献】
【特許文献】
【０００３】
【特許文献１】特開２０１１−０９８７５６号公報
【発明の概要】
【発明が解決しようとする課題】
【０００４】
しかし、内容物をスパウトから吐出することで、袋内の内容物の量が減ってくると、袋の下側部が萎むため、自立させようとしても安定せず、倒れ易くなる。更に、袋が上下方向の中間部で「く」字状に折れ易くなる。特に、大き目のサイズの袋において、上記折れが生じやすい。
本発明は、このような事情に鑑み、袋内の内容物の量が少なくなっても、袋を安定的に自立させられるようにすることを第１の目的とする。さらに、袋の折れをも防止できるようにすることを第２の目的とする。
【課題を解決するための手段】
【０００５】
本発明は、上記問題点を解決するためになされたものであり、流動性の内容物を吐出可能に貯める袋であって、互いに対向するとともに周縁部どうしが閉じられた第１、第２の主シート部を有する柔軟な袋部と、前記袋部より硬質でかつ保形性を有して、前記第１主シート部に被さる保形シートと、を備え、前記保形シートが、幅方向の中央部に向かうにしたがって前記第２主シートとは反対側へ突出するように湾曲された湾曲部と、前記湾曲部の幅方向の両端に連なるとともに前記袋部の幅方向の端部と接合された一対の被接合部とを有し、前記湾曲部の下端部が、前記袋部の下端部と前記袋部の上下方向のほぼ同じ高さに配置されていることを特徴とする。
これによって、上記第１の目的を達成できる。すなわち、袋内の内容物の量が少なくなっても、袋を安定的に自立させることができる。
【０００６】
前記保形シートの上端部が、前記袋部における上端部と前記袋部の上下方向のちょうど中間部との間の高さに配置されていることが好ましい。これによって、上記第１の目的に加えて、上記第２の目的をも達成できる。すなわち、袋内の内容物の量が少なくなった際、袋が上下方向の中間部において「く」字状に折れるのを防止することができる。特に、袋が例えば足裏程度の比較的大きいサイズである場合には、内容物の量が少なくなると折れやすいから、上記構成が有効である。
前記保形シートの上端部は、前記袋部における上下方向のちょうど中間部又は前記中間部と下端部の間の高さに配置されていてもよい。袋が例えば手のひら程度の比較的小さいサイズである場合には、内容物の量が少なくなっても折れにくいから、上記の構成とすることで、保形シートの面積を小さくして材料コストを節減できる。
【０００７】
前記袋部の上下方向の所定位置における前記保形シート及び前記袋部の少なくとも一方の幅方向の端部には、指を受け入れ可能な凹部が形成されていてもよい。
これによって、袋を片手で簡単に持つことができる。
【発明の効果】
【０００８】
本発明によれば、袋内の内容物の量が少なくなっても、袋を安定的に自立させることができる。
【図面の簡単な説明】
【０００９】
【図１】図１は、本発明の第１実施形態に係る比較的小さいサイズ（手のひらサイズ）の袋を、内容物が充填された状態で示したものであり、図１（ａ）は上記袋の正面図であり、図１（ｂ）は上記袋を、一部を断面にして、かつ載置部に載置した状態で示す側面図であり、図１（ｃ）は上記袋の底面図である。
【図２】図２は、上記袋の保形シートの斜視図である。
【図３】図３（ａ）は、上記袋を、ほぼ空の状態で、かつ載置部に載置した状態で示す側面図である。図３（ｂ）は、図３（ａ）の状態における上記袋の底面図である。
【図４】図４は、上記袋を片手で把持した状態を示す正面図である。
【図５】図５は、本発明の第２実施形態に係る比較的大きいサイズの袋を、内容物が充填された状態で示したものであり、図５（ａ）は上記袋の正面図であり、図５（ｂ）は上記袋の側面図であり、図５（ｃ）は、上記袋の底面図である。
【図６】図６は、上記第２実施形態に係る袋を、ほぼ空の状態で示す側面図であり、同図の二点鎖線は、袋が保形シートを有しないと仮定した場合における、空の状態の袋の一形態を示す。
【図７】図７（ａ）は、本発明の第３実施形態に係る袋の上側部分を示す正面図である。図７（ｂ）は、上記第３実施形態の袋を片手で把持した状態を示す正面図である。
【図８】図８（ａ）は、上記第３実施形態の変形例を示す正面図である。図８（ｂ）は、上記変形例の袋を片手で把持した状態を示す正面図である。
【図９】図９（ａ）は、上記第３実施形態の変形例を示す正面図である。図９（ｂ）は、上記図９（ａ）の変形例の袋を片手で把持した状態を示す正面図である。
【図１０】図１０は、本発明の第４実施形態に係る袋の正面図である。
【発明を実施するための形態】
【００１０】
以下、本発明の実施形態を図面にしたがって説明する。
図１〜図４は、本発明の第１実施形態を示したものである。図１に示すように、袋１Ｓは、流動性の内容物２を吐出可能に貯める自立式袋である。内容物２（同図（ｂ））は、例えば液状の接着剤、薬剤、飲料液等である。第１実施形態の袋１Ｓの大きさは、比較的小さく、手のひらサイズである。袋１Ｓは、袋部１０と、スパウト２０と、保形シート３０を備えている。袋部１０は、一対をなす第１、第２の主シート部１１，１２と、底シート部１３を有している。これらシート部１１，１２，１３は、柔軟な材質にて構成されている。例えば、シート部１１，１２，１３の材質として、樹脂層及びアルミニウム層を含むラミネートシートが挙げられる。主シート部１１，１２は、同一の大きさの長方形状になっており、その長手方向が上下に向けられている。これら主シート部１１，１２が互いに重ねられ、周縁部どうしが閉じられている。すなわち、主シート部１１，１２の上縁どうし及び左右の側縁どうしが溶着にて接合されて封止されている。図１（ａ）に示すように、袋部１０の上縁には上縁封止部１４が形成されている。袋部１０の左右の両縁には側縁封止部１５が形成されている。図１（ｃ）に示すように、主シート部１１，１２の底部どうしの間に底シート部１３が配置されている。底シート部１３の周縁の半周が、第１主シート部１１の下縁と溶着にて接合され、かつ底シート部１３の周縁の残りの半周が、第２主シート部１２の下縁と溶着にて接合されている。これによって、主シート部１１，１２の下縁どうしが、底シート部１３を介して封止されている。図１（ａ）に示すように、袋部１０の底部には、底縁封止部１６が形成されている。底シート部１３は、袋１Ｓの膨張・収縮に応じて、展開・折り畳み可能になっている。
【００１１】
袋部１０の上端部にはスパウト２０が設けられている。スパウト２０の材質としては、例えばポリプロピレンやポリエチレンなどの硬質樹脂が挙げられる。スパウト２０は、袋部１０から上へ突出されている。スパウト２０の先端部には、図１（ａ）及び同図（ｂ）において二点鎖線にて示すキャップ２９が設けられている。スパウト２０は、袋部１０の上端部の中央部に配置されているが、袋部１０の上端部と左右端部との角部に配置されていてもよい。
【００１２】
シート部１１〜１３によって、袋部１０の内部に袋内室１９が形成されている。袋内室１９は、密閉され、かつ膨縮可能になっている。すなわち、図１（ｂ）及び図３（ａ）に示すように、袋部１０が内外の圧力差に応じて膨らんだり縮んだりするように変形することで、袋内室１９の内容積が増減される。袋内室１９内には内容物２が封入されている。
【００１３】
図１及び図２に示すように、第１主シート部１１には保形シート３０が設けられている。保形シート３０は、樹脂シートにて構成され、袋部１０より硬質であり、かつ所要の保形性を有している。保形シート３０の厚みは、例えば数百μｍ〜１ｍｍ以下であり、好ましくは０．２ｍｍ程度である。保形シート３０の材質としては、ポリエチレンテレフタレート（ＰＥＴ）が挙げられるが、これに限られず、ポリプロピレンやポリエチレン等の、他の樹脂にて構成されていてもよい。或いは、保形シート３０が、硬めの紙にて構成されていてもよく、金属にて構成されていてもよい。保形シート３０は、透明であってもよく、有色であってもよい。保形シート３０の表面にデザインや商品説明等の印刷を施してもよい。
【００１４】
保形シート３０は、湾曲部３１と、一対の被接合部３２，３２を一体に有し、第１主シート部１１の表側面の下半分に被さっている。湾曲部３１は、幅方向の中央部に向かうにしたがって表側（第２主シート部１２とは反対側）へ突出するように湾曲されている。これにより、図１（ｃ）及び図２に示すように、湾曲部３１は、上面視又は底面視で円弧状になっている。この湾曲部３１が、第１主シート部１１における側縁封止部１５よりも幅方向の内側部分に被さっている。湾曲部３１は、袋部１０と接合（溶着、接着等）されておらず、湾曲部３１と第１主シート部１１とは互いに相対的に接近、離間可能である（図５）。
【００１５】
更に詳細には、湾曲部３１の形状は、袋部１０の最大膨張時（内容物２の満タン時）における第１主シート部１１の形状と対応している。好ましくは、図１（ｃ）に示すように、手のひら程度の比較的小さいサイズの袋１Ｓにおいては、湾曲部３１が、最大膨張時の第１主シート部１１よりも表側（図（ｃ）において上）に張り出し、該最大膨張時の第１主シート部１１と湾曲部３１との間に隙間３５が形成されている。また、湾曲部３１の左右方向の幅は、上に向かうにしたがって若干小さくなっており、湾曲部３１の左右の縁が内側へ若干傾いている。
【００１６】
なお、湾曲部３１の曲率が、最大膨張時における第１主シート部１１の曲率とほぼ同じであってもよく、湾曲部３１が最大膨張時の第１主シート部１１と接していてもよい。さらには、最大膨張時の第１主シート部１１の形状に合わせて、湾曲部３１の曲率が上に向かうにしたがって小さくなることで（つまりは、湾曲部３１が上に向かうにしたがって扁平になることで）、湾曲部３１が全体的に最大膨張時の第１主シート部１１と接していてもよい。
【００１７】
図２に示すように、湾曲部３１の幅方向の両端にそれぞれ被接合部３２，３２が一体に連なっている。各被接合部３２は、側縁封止部１５と同程度の幅を有して、上下に延びている。被接合部３２の上下方向の長さは、湾曲部３１の上下方向の寸法と同等である。被接合部３２の上端は、湾曲部３１の上端と一直線をなしている。被接合部３２の下端は、湾曲部３１の下端と一直線をなしている。被接合部３２は、湾曲部３１の幅方向の端部に対して角度を持って幅方向の外側へ折れ曲がり、ほぼ平らになっている。湾曲部３１と被接合部３２との境には、折り目３３が形成されている。折り目３３は、上に向かうにしたがって袋１Ｓの幅方向の内側に若干傾いている。
【００１８】
図１（ａ）及び同図（ｃ）に示すように、各被接合部３２は、袋部１０の幅方向の端部と溶着にて接合されている。つまり、左側の被接合部３２は、左側の側縁封止部１５における第１主シート部１１側の表面に重ねられて接合されている。右側の被接合部３２は、右側の側縁封止部１５における第１主シート部１１側の表面に重ねられて接合されている。被接合部３２と袋部１０との接合手段としては、溶着に代えて接着を用いてもよい。被接合部３２の外側（湾曲部３１とは反対側）の縁は、側縁封止部１５の外側縁と好ましくは面一に揃えられている。
なお、被接合部３２の外側縁が、側縁封止部１５の外側縁よりも幅方向の内側に少し引っ込んでいてもよく、側縁封止部１５の外側縁よりも幅方向の外側に少し突出していてもよい。被接合部３２の内側縁が、第１主シート部１１における側縁封止部１５よりも幅方向の内側に位置していてもよい。つまり、被接合部３２が、袋部１０における側縁封止部１５と袋内室１９を形成する部分とに跨るように配置されていてもよい。
【００１９】
図１（ａ）及び同図（ｂ）に示すように、保形シート３０は、袋部１０の上下方向の中間部から下端部にかけて被さっている。保形シート３０ひいては湾曲部３１の上端部は、袋部１０の上下方向の中間部に位置している。保形シート３０ひいては湾曲部３１の下端部は、袋部１０の下端部と袋部１０の上下方向のほぼ同じ高さに配置されている。
【００２０】
保形シート３０を袋部１０に取り付ける際は、予め湾曲部３１及び被接合部３２、並びに折り目３３を有するように保形シート３０を成形した後、被接合部３２を袋部１０と溶着してもよい。
或いは、保形シート３０の全体を湾曲部３１に対応する曲率にて湾曲成形しておき（つまりは、折り目３３を未形成にしておき）、該保形シート３０の幅方向の両端部（被接合部３２となるべき部分）を袋部１０と溶着するのと同時に、その溶着熱や加圧力等を用いて湾曲部３１と被接合部３２との間に折り目３３を付けてもよい。
更には、保形シート３０の全体を平らな状態で、該保形シート３０の幅方向の両端部（つまり被接合部３２となるべき部分）を袋部１０と溶着するのと同時に、湾曲部３１の湾曲形状を形成するとともに、湾曲部３１と被接合部３２との間に折り目３３を付けてもよい。
【００２１】
上記構成の袋１Ｓによれば、図１（ｂ）に示すように、内容物２１が満タンに充填されているときは、内容物２が重力によって袋内室１９における下側部分に偏ることで、袋１Ｓの下側部が膨らむとともに、袋１Ｓの上側部が相対的に萎んだ状態になる。これによって、袋１Ｓを棚や台等の載置面４上に自立させた状態で安定的に載置できる。
【００２２】
内容物２をスパウト２０から吐出することで、袋１Ｓ内の内容物２の量が減るにしたがって、袋部１０が萎む。すなわち、図３（ａ）及び同図（ｂ）に示すように、主シート部１１，１２の下側部分どうしが互いに近づいて、袋部１０の下側部分の厚みが小さくなり、袋部１０が全体的に扁平になるように変形する。このため、第１主シート部１１と湾曲部３１との間の隙間３５が大きくなる。このように袋部１０が萎んでも、保形シート３０は、保形強度を有しているために、満タン時と同じ湾曲形状を維持する。したがって、湾曲部３１の下端縁と袋部１０の下端縁とが互いに前後に離れた状態で、これら湾曲部３１及び袋部１０がそれぞれ棚や台等の載置面４と接する。これによって、袋１Ｓ内の内容物２の量が少なくなっても、袋１Ｓを載置面４上に安定的に自立させることができる。
【００２３】
また、図４に示すように、片手５の指５ａ，５ａで保形シート３０を幅方向の両側から挟むことで、袋１Ｓを片手５で把持でき、持ち上げることができる。このとき、保形シート３０には幅方向に圧縮力が働くが、保形シート３０は所定の圧縮強度を有しているから上記の圧縮力に十分に耐えることができる。したがって、袋１Ｓが幅方向に潰れないようにできる。よって、キャップ２９が外れていた場合でも、内容物２がスパウト２０から吐出されるのを防止できる。
さらに、袋１Ｓ内の内容物２が加熱されていたり冷凍されていたりしても、袋部１の中央部には直接触れることなく、保形シート３０の被接合部３２の外縁にだけ指５ａを当てた状態で、袋１Ｓを保持することができる。
【００２４】
次に、本発明の他の実施形態を説明する。以下の実施形態において記述の形態と重複する構成に関しては、図面に同一符号を付して説明を省略する。
図５及び図６は、本発明の第２実施形態を示したものである。図５に示すように、第２実施形態の袋１Ｌは、第１実施形態の袋１Ｓよりもひとまわり大きいサイズであり、例えば足裏程度の大きさになっている。この袋１Ｌにおける保形シート３０は、第１主シート部１１の上端部を除く全体を覆っている。保形シート３０の上端部は、袋部１０における上端部と上下方向のちょうど中間部との間の高さに配置されている。湾曲部３１の上端部は、第１主シート部１１の上下方向の中間部よりも上側に位置し、好ましくは第１主シート部１１の上端部の少し下側に位置している。湾曲部３１の下端部は、袋部１０の下端部と袋部１０の上下方向におけるほぼ同じ高さに位置している。
【００２５】
湾曲部３１の曲率は、最大膨張時における第１主シート部１１の下側部分の曲率とほぼ同じになっている。湾曲部３１の下側部分が、最大膨張時の第１主シート部１１に接している。湾曲部３１の上側部分は、第１主シート部１１から離れている。なお、湾曲部３１の全体形状を、最大膨張時の第１主シート部１１の形状に合わせることで、湾曲部３１の全体が最大膨張時の第１主シート部１１に接するようにしてもよい。
【００２６】
第２実施形態では、図６に示すように、内容物２が減って袋部１０が扁平になっても、保形シート３０が袋部１０の上下方向の中間部に被さっているために、図６の二点鎖線にて示すように、袋部１０が中間部において「く」字状に折れるのを防止することができる。
【００２７】
図７は、本発明の第３実施形態を示したものである。図７（ａ）に示すように、第３実施形態の袋１Ｌでは、第２実施形態と同様に、保形シート３０の上縁が、第１主シート部１１の上下方向の中間部よりも上側に位置し、好ましくは第１主シート部１１の上端部の少し下側に位置している。この第３実施形態の袋１Ｌにおいては、袋部１０の上下方向の所定位置における、保形シート３０及び袋部１０の少なくとも一方の幅方向の端部に、指入れ凹部３７，１７が形成されている。図７（ｂ）に示すように、指入れ凹部３７，１７は、指５ａを受け入れ可能である。
【００２８】
具体的には、第３実施形態においては、図７（ａ）に示すように、保形シート３０及び袋部１０の両方に指入れ凹部３７，１７が形成されている。指入れ凹部３７は、保形シート３０の上端部の少し下の高さ（つまり保形シート３０の上下方向の中間部よりも上端部に近い位置）における、両側の被接合部３２，３２にそれぞれ形成されている。各指入れ凹部３７は、被接合部３２の外縁から半円形状に凹んでおり、その大きさは、人の指先の一般的な大きさに合わせてある。袋部１０の左右の側縁封止部１５における各指入れ凹部３７とちょうど同じ位置には、指入れ凹部１７が形成されている。指入れ凹部１７は、側縁封止部１５の外縁から半円形状に凹んでおり、その大きさは指入れ凹部３７の大きさと同等である。指入れ凹部１７の縁は、指入れ凹部３７の縁とちょうど一致しているが、指入れ凹部１７，３７の何れか一方の縁が他方の縁よりも突出していてもよい。
保形シート３０を袋部１０に取り付けた後、指入れ凹部３７，１７を打ち抜きや切り取り加工等によって形成してもよい。
袋部１０に予め指入れ凹部１７を形成し、かつ保形シート３０に予め指入れ凹部３７を形成したうえで、保形シート３０を袋部１０に取り付けてもよい。
【００２９】
第３実施形態においては、保形シート３０に指入れ凹部３７，１７を形成したことによって、袋１Ｌを持ちやすくできる。すなわち、図７（ｂ）に示すように、保形シート３０の幅方向の両側の指入れ凹部３７，１７にそれぞれ指５ａを入れることで、袋１Ｌを片手５で簡単に把持することができる。保形シート３０は、上記指による圧縮力に対し十分な強度を有しているから、袋部１０が潰れることはない。
【００３０】
図８は、第３実施形態の変形例を示したものである。図８（ａ）に示すように、この変形例では、保形シート３０にだけ指入れ凹部３７が形成されており、袋部１０には指入れ凹部１７が形成されていない。このため、指入れ凹部３７の内部には、側縁封止部１５の一部１５ｅが露出している。この凹部内露出部１５ｅは、柔軟であるため、図８（ｂ）に示すように、指で潰すことができる。このようにして、凹部内露出部１５ｅを潰しながら、指入れ凹部３７に指５ａを入れることで、袋１Ｌを把持することができる。
【００３１】
図９は、第３実施形態の他の変形例を示したものである。図９（ａ）に示すように、この変形例では、袋部１０にだけ指入れ凹部１７が形成されており、保形シート３０には指入れ凹部３７が形成されていない。保形シート３０の被接合部３２は、指入れ凹部１７よりも袋１Ｌの幅方向の内側に少し引っ込んで配置されている。指入れ凹部１７の内周縁と被接合部３２の外縁との間には、側縁封止部１５の一部１５ｆが設けられている。図９（ｂ）に示すように、指入れ凹部１７に指５ａを入れて凹部縁周辺部１５ｆをある程度潰すと、保形シート３０の保形強度によって側縁封止部１５がそれ以上変形しなくなり、指５ａが凹部縁周辺部１５ｆを介して保形シート３０の左右の縁に突き当たった状態になる。これよって、袋１Ｌを片手５で簡単に把持することができる。
【００３２】
図１０は、本発明の第４実施形態を示したものである。
第４実施形態では、袋１の袋部１０の上下方向の中間部より上側部分１８の左右両側の縁が、上に向かうにしたがって互いに近づくように斜めになっている。これによって、袋部１０の上側部分１８が上に向かって先細になっている。これに合わせて、保形シート３０の上側部分３８の左右両側の縁が斜めにカットされている。保形シート３０の上端縁は、先細部分１８の上下方向の中間部に位置している。
第４実施形態の袋部１０は、内容物２が少なくなると先細部分１８の下端部の付近で「く」字状に折れ曲がりやすいところ、この折れ曲がりやすい部分に保形シート３０が被さることで、袋部１０の折れ曲がりを防止することができる。
【００３３】
本発明は、上記実施形態に限定されるものではなく、その趣旨の範囲内で種々の改変をなすことができる。
例えば、湾曲部３１の下端縁は、袋部１０の下端縁と完全に同じ高さに揃えられている必要はなく、湾曲部３１の下端縁が袋部１０の下端縁より若干上に位置していてもよい。或いは、湾曲部３１の上端縁が袋部１０の上端縁より若干上に位置していてもよい。
湾曲部３１と第１主シート部１１とが溶着や接着等にて接合されてもよい。更に、保形シート３０と第１主シート部１１とが一体成形されていてもよい。
第１主シート部１１に保形シート３０を設けるだけでなく、第２主シート部１２にも保形シート３０を設けてもよい。
流動性の内容物２は、液体に限られず、ゾル状流体であってもよく、ゲル状流体であってもよく、粉体、粒体であってもよく、これらの混合物であってもよい。
袋１０の底シート部１３が省略され、主シート部１１，１２の下縁どうしが直接に連なっていてもよい。１枚のシートを２ツ折にし、折り目以外の３つの縁を溶着することで、袋部１０を形成してもよい。
袋部１０の上下方向における指入れ凹部３７，１７の配置位置（所定位置）は、袋部１０の上側部分に限られず、袋部１０の上下方向の中間部であってもよく、袋部１０の下側部分であってもよい。指入れ凹部３７は、保形シート３０の上側部分に限られず、保形シート３０の上下方向の中間部に設けてもよく、保形シート３０の下側部分に設けてもよい。
【００３４】
２以上の実施形態の構成を互いに組み合わせてもよい。例えば、第１実施形態の小サイズの袋１Ｓにおいても、大サイズの袋１Ｌと同様に、保形シート３０が第１主シート部１１のほぼ全体を覆い、保形シート３０の上端部が第１主シート部１１の上端部近くに位置するようにしてもよい。また、小サイズの袋１Ｓにおいても、保形シート３０の湾曲部３１が、最大膨張時の第１主シート部１１に接するようにしてもよい。更に、小サイズの袋１Ｓにおいても、袋部１０の上下方向の所定位置における保形シート３０及び袋部１０の少なくとも一方の幅方向の端部に指入れ凹部３７，１７を設けてもよい。
第２実施形態の大サイズの袋１Ｌにおける保形シート３０が、小サイズの袋１Ｓと同様に、袋部１０の下半分を覆い、保形シート３０の上端部が第１主シート１１の上下方向の中間部付近に位置するようにしてもよい。また、大サイズの袋１Ｌにおいても、保形シート３０の湾曲部３１が、最大膨張時の第１主シート部１１の下側部分よりも表側に張り出し、湾曲部３１と上記第１主シート部１１の下側部分との間に隙間３５が形成されるようにしてもよい。
【産業上の利用可能性】
【００３５】
本発明は、例えば接着剤、薬剤、飲料液等の液状流動体を収容する容器に適用可能である。
【符号の説明】
【００３６】
１，１Ｓ，１Ｌ  袋
２      内容物
１０    袋部
１１    第１主シート部
１２    第２主シート部
１７    指入れ凹部
３０    保形シート
３１    湾曲部
３２    被接合部
３７    指入れ凹部
【図１】
2014218261.tif 000003
【図２】
2014218261.tif 000004
【図３】
2014218261.tif 000005
【図４】
2014218261.tif 000006
【図５】
2014218261.tif 000007
【図６】
2014218261.tif 000008
【図７】
2014218261.tif 000009
【図８】
2014218261.tif 000010
【図９】
2014218261.tif 000011
【図１０】
2014218261.tif 000012